(57)【要約】      （修正有）【課題】エレベータリニューアル工事において、エレベータの制御盤と昇降路とを接続する配線路のために、特別な穴開け工事を不要とする。【解決手段】既に設置されている制御盤３２から既設の各種配線３４を昇降路１０内に通すために機械室１２に設けられている通し口４０において、各種配線３４を通すために通し口４０から昇降路１０内に延びて設けられている案内スリーブ４４を昇降路１０側の導入部で切断し、通し口４０に残っている案内スリーブ４４の部分を除去し、新しい各種配線６４を通す際の保護スリーブ６６を通し口４０に代わりに設置し、更新された制御盤６２から通し口４０の保護スリーブ６６を介して新しい各種配線６４を昇降路１０内に敷設する。【選択図】図１
2006347681.tif 000002
【特許請求の範囲】
【請求項１】
エレベータのリニューアルに伴い、機械室の制御盤を更新し、更新された制御盤から昇降路に新しく各種配線を敷設する工事方法であって、
既に設置されている制御盤から既設の各種配線を昇降路内に通すために機械室に設けられている通し口において、各種配線を通すために通し口から昇降路内に延びて設けられている案内スリーブを昇降路側の導入部で切断する切断工程と、
通し口に残っている案内スリーブの部分を除去する除去工程と、
新しい各種配線を通す際の保護スリーブを通し口に設置する設置工程と、
更新された制御盤から通し口の保護スリーブを介して新しい各種配線を昇降路内に敷設する敷設工程と、
を含むことを特徴とするエレベータリニューアル工事方法。
【請求項２】
請求項１に記載のエレベータリニューアル工事方法において、
敷設工程は、更新された制御盤から通し口の保護スリーブまで、保護ダクトを設け、その中に各種配線を敷設することを特徴とするエレベータリニューアル工事方法。
【請求項３】
エレベータのリニューアルに伴い、機械室の制御盤を更新し、更新された制御盤から昇降路に向けて敷設される新しい各種配線のための配線路であって、
既に設置されている制御盤からの既設の各種配線を昇降路内に通すために機械室に設けられている通し口を用い、各種配線を通すために通し口から昇降路内に延びて設けられている案内スリーブを昇降路側の導入部で切断し、通し口に残っている案内スリーブの部分を除去して、新しい各種配線を通す際の保護スリーブが設置された通し口と、
更新された制御盤から通し口の保護スリーブまで、各種配線をその中に通す機械室の床の上に設けられた保護ダクトと、
を備えることを特徴とするエレベータの制御盤と昇降路とを接続する配線路。
【発明の詳細な説明】
【技術分野】
【０００１】
本発明は、エレベータリニューアル工事方法及びエレベータの制御盤と昇降路とを接続する配線路に係り、特に、エレベータのリニューアルに伴い、機械室の制御盤を更新し、更新された制御盤から昇降路に新しく各種配線を敷設するときのエレベータリニューアル工事方法及びエレベータの制御盤と昇降路とを接続する配線路に関する。
【背景技術】
【０００２】
ビル等の建物の中に設置されているエレベータの機種等をリニューアル、すなわち更新する場合には、通常、エレベータのかごが昇降する昇降路をそのまま使用し、かごを含む昇降設備を更新する。これに伴い、制御盤も更新され、制御盤と、かご及び各階乗場の操作部とを接続する各種配線も更新される。例えば、１０年、２０年を経てエレベータ設備を更新するときは、各種配線の線材そのものが技術の進展に伴い大幅に異なっており、新しい性能の制御盤に使用される各種配線もそっくり入れ替えることが多い。例えば、以前は、バラバラ単線の集合であった各種配線を、今日では数１０芯を１つのケーブルとしてまとめたものに入れ替えることが必要になる。
【０００３】
通常、エレベータの制御盤は、昇降路の最上部又は最下部に設けられる機械室に設置される。そして、制御盤からの各種配線を、かご及び各階乗場の操作部に接続するためには、建物内を上下に貫く空間である昇降路が用いられる。そして、制御盤から各種配線を昇降路内に通すために、機械室の床、又は天井、又は壁に通し口が設けられる。したがって、制御盤からの各種配線は、制御盤から機械室の床等に通し口に向かって敷設され通し口から昇降路内に入る。機械室の床等に敷設された各種配線は、保護のため、適当な埋設材を用いて床と一体となるように埋め込まれる。また、昇降路内の各種配線は、適当なダクト等を用いてその中に収納され、かごや各階操作部等に分岐配線される。
【０００４】
ここでエレベータ設備のリニューアルを行う場合には、上記のように制御盤も各種配線も更新されるので、これら新しい仕様の各種配線を改めて新しい制御盤から昇降路に通すことが必要になる。今までの各種配線は、上記のように機械室の床に埋設され、昇降路の中では今までの各種配線に合わせたダクト等の中を通るので、それらをそのまま転用することができない。したがって、改めて、新しい仕様の各種配線のために、機械室の床等に新たに通し穴を設ける工事等が行われる。
【発明の開示】
【発明が解決しようとする課題】
【０００５】
このように、従来のエレベータリニューアル工事は、新しい各種配線を敷設するために、機械室の床等に新たに昇降路に通じる通し穴を設けることが行われる。この場合、床等のハツリ作業や、穴開けのための振動ドリル等の装置を用いるので、すでに使用されている建物に振動や騒音等を与える。また、機械室の床等には、リニューアル工事に関係のないその他の電気配線や、場合によっては水道、ガス等の配管が埋設されていることもあるので、事前の検査は必要で、また工事にはそれらを損傷しないように注意が必要である。
【０００６】
したがって、従来技術によるエレベータリニューアル工事は、各種配線の敷設のために、昇降路に通じる通し穴を開ける等のかなりの工事が必要である。
【０００７】
本発明の目的は、特別な穴開け工事を不要とするエレベータリニューアル工事方法及びエレベータの制御盤と昇降路とを接続する配線路を提供することである。
【課題を解決するための手段】
【０００８】
本発明に係るエレベータリニューアル工事方法は、エレベータのリニューアルに伴い、機械室の制御盤を更新し、更新された制御盤から昇降路に新しく各種配線を敷設する工事方法であって、既に設置されている制御盤から既設の各種配線を昇降路内に通すために機械室に設けられている通し口において、各種配線を通すために通し口から昇降路内に延びて設けられている案内スリーブを昇降路側の導入部で切断する切断工程と、通し口に残っている案内スリーブの部分を除去する除去工程と、新しい各種配線を通す際の保護スリーブを通し口に設置する設置工程と、更新された制御盤から通し口の保護スリーブを介して新しい各種配線を昇降路内に敷設する敷設工程と、を含むことを特徴とする。
【０００９】
また、敷設工程は、更新された制御盤から通し口の保護スリーブまで、保護ダクトを設け、その中に各種配線を敷設することが好ましい。
【００１０】
また、本発明に係るエレベータの制御盤と昇降路とを接続する配線路は、エレベータのリニューアルに伴い、機械室の制御盤を更新し、更新された制御盤から昇降路に向けて敷設される新しい各種配線のための配線路であって、既に設置されている制御盤からの既設の各種配線を昇降路内に通すために機械室に設けられている通し口を用い、各種配線を通すために通し口から昇降路内に延びて設けられている案内スリーブを昇降路側の導入部で切断し、通し口に残っている案内スリーブの部分を除去して、新しい各種配線を通す際の保護スリーブが設置された通し口と、更新された制御盤から通し口の保護スリーブまで、各種配線をその中に通す機械室の床の上に設けられた保護ダクトと、を備えることを特徴とする。
【発明の効果】
【００１１】
上記構成により、従来からある通し口から昇降路内に延びて設けられている案内スリーブを昇降路側の導入部で切断し、そこで通し口に残っている案内スリーブの部分を除去し、代わって新しく保護スリーブを通し口に設置し、これを介して新しい各種配線を昇降路内に敷設する。このように従来からある通し口を利用するので、制御盤から昇降路に各種配線を通すのに、特別な穴開け工事が不要となる。
【００１２】
また、新しい制御盤から通し口の保護スリーブまでは、保護ダクトを設けて、その中に各種配線を敷設するので、従来の各種配線を掘り出したりせず、簡便に新しい各種配線を敷設することができる。
【発明を実施するための最良の形態】
【００１３】
以下に図面を用いて本発明に係る実施の形態につき詳細に説明する。以下において、エレベータ設備の制御盤が配置される機械室は、昇降路の上、すなわち、エレベータが昇降する最上階のその天井の上にあるものとして説明するが、建物のこれ以外の場所に機械室が設けられていてもよい。例えば、昇降路の下、エレベータが昇降する最下階のその床の下にあるものとしてもよく、あるいは、昇降路の上下でない場所であってもよい。これらの場合、制御盤からの各種配線を昇降路に通す通し穴は、機械室の床でなく、その天井、あるいは壁に設けることができる。
【００１４】
図１は、エレベータリニューアル工事前後の各種配線の配線路の様子を示す図である。ここで、図１において、（ａ），（ｂ）はエレベータリニューアル工事前の配線路３０、（ｃ），（ｄ）はエレベータリニューアル工事後の配線路６０をそれぞれ示す。また、これらの図のうち、（ａ），（ｃ）は、それぞれの昇降路１０に沿った縦方向の建物断面図で、（ｂ），（ｄ）は、それぞれの機械室１２の平面図である。なお、図１（ａ）は、配線路３０に関して、図１（ｂ）に示すＡ−Ａ線における断面図を示し、図１（ｃ）は、配線路６０に関して、図１（ｄ）に示すＣ−Ｃ線における断面図を示している。
【００１５】
最初にエレベータリニューアル工事前の配線路３０を説明し、次いでこれと比較しながらエレベータリニューアル工事後の配線路６０を説明し、その後にエレベータリニューアル工事方法の詳細な手順とその内容を述べる。
【００１６】
図１（ａ），（ｂ）は、エレベータリニューアル工事前の配線路３０、すなわち、今までに敷設されている配線路３０の状態を示す図である。建物の中に上下に貫通して設けられるエレベータ用昇降路１０の上部には、エレベータを運行するための設備が配置される機械室１２が設けられる。したがって、機械室１２の床１４はまた昇降路１０の天井でもある。昇降路１０には、メインロープによって支持されるかご１６が設置され、かご１６は、メインロープの駆動に伴い、各階乗場１８のところに停止しながら昇降する。各階乗場１８には、かご１６の停止を要求する操作盤２０が設けられる。一方、機械室１２にはメインロープを駆動する図示されていない駆動モータが設置され、また、エレベータ設備全体の運行を制御する制御盤３２等が配置される。
【００１７】
配線路一般は、制御盤３２から、駆動モータを含むエレベータ設備の各要素に電気信号等を伝達するための各種配線を敷設したものである。図１においては、制御盤３２と接続される各種配線のうち、昇降路１０を経由する各種配線３４に関する配線路３０のみが図示されている。この各種配線３４は、制御盤３２とかご１６との間を接続するものと、制御盤３２と各階乗場１８の操作盤２０との間を接続するものとを含む。各種配線３４は、今までのエレベータの設置時期にもよるが、例えば１９８０年代以前の設置の場合、単芯の被覆導線の集合で、その芯線数は１００本以上の場合がある。
【００１８】
配線路３０は、各種配線３４を機械室１２の制御盤３２から昇降路１０のかご１６、各階乗場１８の操作盤２０へ接続するために、（制御盤３２）−埋設管４８−通し口４０−案内スリーブ４４−昇降路信号線ダクト４６−（かご１６、操作盤２０）の順に各要素が設けられる。
【００１９】
埋設管４８は、各種配線３４を内部に収容する保護管である。埋設管４８は、たとえば内径６０ｍｍ、外径１００ｍｍ程度の金属管あるいは剛性のあるプラスチック管を用いることができる。埋設管４８の敷設は具体的には次のように行われる。すなわち、制御盤３２からの各種配線３４を埋設管４８の内径に通して機械室１２の床１４に配置し、その上からモルタル等の適当な埋設材で覆い、機械室１２の床を平らにする。埋設管４８を覆う埋設材の厚みは、最も薄いところで例えば３ｍｍ程度でよい。
【００２０】
通し口４０は、機械室１２の床１４に昇降路１０に向かって開けられた開口である。通し口４０は、機械室１２において埋設管４８を通ってきた各種配線３４を昇降路１０に向かって通す機能を有する配線通路である。この通し口４０は、建物にエレベータ設備を設置する際に開けられる。すなわち、通常は、建物が建てられるときに、そのように設計されて開口が設けられる。通し口４０の大きさは、一例を挙げると１００ｍｍ角程度である。
【００２１】
通し口４０には、ケース４２と蓋５０が設けられる。ケース４２は、蓋５０で覆われる上部開口を有し、底部の中央にも上部開口より小さな開口を有する部材で、通し口４０にはめ込まれる通し部材である。ケース４２の側面には埋設管４８を通ってくる各種配線３４を導入する配線口が設けられる。蓋５０は、ケース４２の上部開口を覆う部材で、これを開けることで通し口４０の中における各種配線３４の様子を調べることができ、これを閉じることで通し口４０をふさいで、不要のものが通し口４０に混入することを防ぐ機能を有する。かかるケース４２、蓋５０は適当な金属板材を加工して得ることができ、あるいはまた、適当なプラスチック材料を成形したものを用いることができる。
【００２２】
案内スリーブ４４は、ケース４２の底部にはめ込まれ、各種配線３４を昇降路１０側に通す案内を行う機能を有するフランジ付管部材である。ケース４２の底部における開口の大きさに対し、案内スリーブ４４の管部分の外形はそれより小さく、案内スリーブ４４のフランジ部分の外形はそれより大きい。したがって、案内スリーブ４４は、ケース４２の底部にフランジ部分が支持され、管部分が昇降路１０のほうに延びるように配置される。ケース４２の側面から導入された各種配線３４は、案内スリーブ４４の内径を通って、案内スリーブ４４に案内されて通し口４０を昇降路１０の方に導かれる。かかる案内スリーブ４４は適当な金属板材を加工して得ることができ、あるいはまた、適当なプラスチック材料を成形したものを用いることができる。
【００２３】
昇降路信号線ダクト４６は、昇降路１０に沿って設けられ、その内部に各種配線３４を通し、必要な位置で外部の方、すなわち昇降路１０の方へ分岐して出す筒状部材である。昇降路信号線ダクト４６の上部開口の大きさは案内スリーブ４４の管部分の外形より大きく設定され、そこで案内スリーブ４４の管部分の下部は、昇降路信号線ダクト４６の中に通される。これにより、案内スリーブ４４の内径を通って案内されてきた各種配線３４は、昇降路信号線ダクト４６の中に導かれ、適当な位置で分岐し、かご１６、及び各階乗場１８の操作盤２０にそれぞれ接続される。かかる昇降路信号線ダクト４６は、適当な金属板材を板金加工して得ることができ、あるいはまた、適当なプラスチック材料を成形したものを用いることができる。
【００２４】
このようにして、エレベータリニューアル工事前の配線路３０は、制御盤３２から、機械室１２の床１４に埋設材で覆われて敷設された埋設管４８の中を通り、通し口４０のケース４２の側面導入口からケース４２と蓋５０で区画される空間に入り、そこから案内スリーブ４４の内径を通って昇降路１０に配置される昇降路信号線ダクト４６の中に導かれる。すなわち、各種配線３４は、これらの配線保護部材に保護されて、制御盤３２から昇降路１０の方へ敷設されている。
【００２５】
次に、エレベータリニューアル工事後の配線路６０について説明する。ここで、エレベータリニューアル工事前の配線路３０と同じ要素については同一の符号を付し、詳細な説明を省略する。エレベータリニューアルにおいて、ここでは新しく制御盤６２が更新される。また、それに伴い、各種配線６４も新しい構成で更新される。例えば、新しい各種配線６４は、３６芯の信号線を１本にまとめた３６芯ケーブル、４４芯の信号線を１本にまとめた４４芯ケーブル、６０芯の信号線を１本にまとめた６０芯ケーブル等で構成される。光ファイバケーブルを含んでもよい。したがって、新しい配線路６０は、基本的にはケーブルを敷設したものであり、従来の１００本以上にも上る単芯線の集合である配線路３０に比較して扱いやすくなっている。
【００２６】
配線路６０は、各種配線６４を機械室１２の制御盤６２から昇降路１０のかご１６、各階乗場１８の操作盤２０へ接続するために、（制御盤６２）−機械室ダクト６８−通し口４０−保護スリーブ６６−（かご１６、操作盤２０）の順に各要素が設けられる。ここで、通し口４０は、ケース４２、蓋５０は元のままであるが、案内スリーブ４４の代わりに保護スリーブ６６が用いられる。
【００２７】
機械室ダクト６８は、各種配線６４を内部に収容する保護ダクトである。機械室ダクト６８は、従来からある埋設管４８とは別に機械室１２の床１４の上に配置される。機械室ダクト６８の敷設は具体的には次のように行われる。すなわち、制御盤６２からの各種配線６４を機械室１２の床１４に配置し、その上を覆うようにして機械室ダクト６８をかぶせる。これにより、制御盤６２からの各種配線６４は、機械室ダクト６８に保護され、その中を通って、ケース４２の側面の導入口からケース４２と蓋５０によって区画される空間に導かれる。かかる機械室ダクト６８は適当な金属板材を板金加工して得ることができ、あるいはまた、適当なプラスチック材料を成形したものを用いることができる。
【００２８】
保護スリーブ６６は、ケース４２の底部にはめ込まれ、各種配線３４を保護して昇降路１０側に通す機能を有するフランジ付すそ広がり管部材である。すなわち、管部分の一方側は、ケース４２の底部開口より大きな外形を有するフランジ部分で、他方側は、すそ広がりとなる外形を有する。保護スリーブ６６は、従来からある昇降路信号線ダクト４６と干渉しない長さを有する。したがって、保護スリーブ６６は昇降路信号線ダクト４６の中に入り込まないように配置される。かかる保護スリーブ６６は適当なプラスチック材料を成形して得ることができ、あるいは、金属材料を成形したものを用いてもよい。
【００２９】
このようにして、エレベータリニューアル工事後の配線路６０は、制御盤６２から、機械室１２の床１４に設けられる機械室ダクト６８の中を通り、通し口４０のケース４２の側面導入口からケース４２と蓋５０で区画される空間に入り、そこから保護スリーブ６６の内径を通って昇降路１０に導かれる。保護スリーブ６６のすそ広がり部分から出た各種配線６４は、実際には数本のケーブルであるので、特にダクト等の保護も要せず、適当な位置で分岐し、かご１６、及び各階乗場１８の操作盤２０にそれぞれ接続される。
【００３０】
上記構成の構造におけるエレベータ設備において、エレベータリニューアルのために新しく配線路６０を敷設するエレベータリニューアル工事の手順につき、以下に詳細に説明する。図２はエレベータリニューアル工事の手順を示すフローチャートであり、図３から図７は、各手順における通し口４０付近の構造の様子を示す図である。エレベータリニューアル工事には、かごを含む昇降設備の更新と、制御盤の更新と、これに伴う各種配線の更新が含まれるが、ここでは主に各種配線の更新敷設工事について説明する。制御盤の更新設置は、各種配線の敷設の前、あるいは後に行ってもよく、また、かごを含む昇降設備の更新を最初に行ってもよく、最後に行ってもよい。これらの更新工事の順序は、建物の状況、更新される内容に応じて適宜変更してもよい。
【００３１】
エレベータリニューアルに伴う各種配線の更新敷設は、従来からあるエレベータ設備の運転を全部停止し、電源等の供給を全部切断して行われる。そして、まず案内スリーブ４４を切断する（Ｓ１０）。具体的には、昇降路１０の天井部、すなわち機械室１２の床１４の裏側である昇降路１０側のところで、案内スリーブ４４を切断する。切断個所は、案内スリーブ４４が昇降路信号線ダクト４６に差し込まれる手前で、できるだけ昇降路１０の天井部に近いところが望ましい。
【００３２】
その様子を図３に示す。ここでは、回転丸のこぎり装置７０で、案内スリーブ４４を側面から切断する様子が示される。回転丸のこぎり装置７０は、円盤の外周にダイヤモンド刃が設けられるカッタを高速回転させるものを用いることができる。上記の寸法例の場合は、直径が例えば１８０ｍｍ程度のカッタを有する回転丸のこぎり装置７０を用いることができる。好ましくは吸塵機能を有するものがよい。上記の寸法、材質の案内スリーブ４４の場合、数１０秒で、切断作業を終了させることができる。
【００３３】
図３においては、従来の各種配線３４が敷設されたまま、切断を行うものとしてある。切断後に昇降路信号線ダクト４６内及び埋設管４８内に残される各種配線３４をそのままにしておくことができる場合は、このようにすることで作業効率が向上する。一方、昇降路信号線ダクト４６内及び埋設管４８内の各種配線３４をきれいに除去する必要がある場合には、除去の手順等を考慮し、Ｓ１０工程の前に、従来の各種配線３４を別途切断等により除去しておいてもよい。
【００３４】
次に、案内スリーブ４４を除去する（Ｓ１２）。前の工程で、案内スリーブ４４は２体に分離し、切断された下側の部分は、昇降路信号線ダクト４６に予め固定されていない限り、自由落下する。したがって、ケース４２の中に残っている部分の案内スリーブを除去する。
【００３５】
図４は、切断によってケース４２の中に残された案内スリーブ４５の様子を示す。案内スリーブ４５の除去は、蓋５０を開けて、機械室１２側から行う。この前に、少なくともケース４２及び案内スリーブ４５の中に残されている各種配線３４も取り除かれる。各種配線３４の取り除きは、元々ある制御盤３２から各種配線３４を取り外して自由端とし、ケース４２側から引き抜いてもよい。これが面倒なときは、ケース４２の側面導入口のところで適当な切断具によって各種配線を切断してもよい。各種配線３４が取り除かれた後、案内スリーブ４５のフランジ部分を上方に引き上げて、ケース４２の底部開口から案内スリーブ４５を引き抜いて除去する。図５は、残されていた案内スリーブ４５と各種配線３４とが取り除かれた様子を示す図である。
【００３６】
次に保護スリーブ６６を設置する（Ｓ１４）。保護スリーブ６６は、末広がり形状を有しているが、その曲率は、新しく敷設される各種配線６４を構成するケーブルを傷つけずに案内するように滑らかな形状であるとともに、ケース４２の底部開口に挿入できる形状に形作られる。挿入は、ケース４２の上方、つまり機械室１２側から、保護スリーブ６６をやや傾けて末広がり形状の一部側からケース４２の底部開口に差し込むようにしてもよい。図６はケース４２の底部開口に保護スリーブ６６が挿入されて設置された様子を示す図である。
【００３７】
そして、新しい各種配線６４を敷設する（Ｓ１６）。具体的には、各種配線６４の一方端側を新しい制御盤６２の接続部側に置き、機械室１２の床１４の上に配置する。そして、各種配線６４の他方端側を保護スリーブ６６の内径に挿入し、昇降路１０側に垂らす。ここで、垂らした各種配線６４は、元々ある昇降路信号線ダクト４６の中に入らないように、その外側に垂れるようにする。その後、機械室ダクト６８で、機械室１２の床１４の上に配置された各種配線６４を覆う（Ｓ１８）。その前後に、各種配線６４の一方側端を新しい制御盤６２に接続し、他方端をかご１６及び各階乗場１８の操作盤２０にそれぞれ接続する。
【００３８】
このようにして、エレベータリニューアルにおける新しい各種配線６４の配線路６０の敷設が行われ、制御盤６２の更新、昇降設備の更新とともに、エレベータリニューアル工事が行われる。上記のように、このエレベータリニューアル工事において、現場加工工事は、簡単な切断装置を用いて案内スリーブ４４を切断するだけの数十秒ですませることが可能である。したがって、機械室に改めて通し口を開ける特別な穴開け工事が不要となり、大掛かりな工事設備を要しない。また、工事期間も短縮でき、建物の使用上に与える影響も少なくすることができる。また、不要となる埋設管４８、昇降路信号線ダクト４６、あるいは残された従来の各種配線３４等をそのままの状態にしておくことができ、余分の撤去工事を要せず、また外観を損なうことも少ない。
【図面の簡単な説明】
【００３９】
【図１】本発明に係る実施の形態において、エレベータリニューアル工事前後の各種配線の配線路の様子を示す図である。
【図２】本発明に係る実施の形態において、エレベータリニューアル工事の手順を示すフローチャートである。
【図３】本発明に係る実施の形態において、案内スリーブ切断手順における通し口付近の構造の様子を示す図である。
【図４】本発明に係る実施の形態において、案内スリーブ切断後における通し口付近の構造の様子を示す図である。
【図５】本発明に係る実施の形態において、案内スリーブ除去後における通し口付近の構造の様子を示す図である。
【図６】本発明に係る実施の形態において、保護スリーブ設置手順における通し口付近の構造の様子を示す図である。
【図７】本発明に係る実施の形態において、新しい各種配線敷設手順における通し口付近の構造の様子を示す図である。
【符号の説明】
【００４０】
１０  昇降路、１２  機械室、１４  床、１８  各階乗場、２０  操作盤、３０  （従来の）配線路、３２  （従来の）制御盤、３４  （従来の）各種配線、４０  通し口、４２  ケース、４４，４５  案内スリーブ、４６  昇降路信号線ダクト、４８  埋設管、５０  蓋、６０  （新しい）配線路、６２  （新しい）制御盤、６４  （新しい）各種配線、６６  保護スリーブ、６８  機械室ダクト、７０  回転丸のこぎり装置。
【図１】
2006347681.tif 000003
【図２】
2006347681.tif 000004
【図３】
2006347681.tif 000005
【図４】
2006347681.tif 000006
【図５】
2006347681.tif 000007
【図６】
2006347681.tif 000008
【図７】
2006347681.tif 000009